(57)【要約】      （修正有）【課題】スプリンクラーホースの端部継手の角バーへの固定作業が素早くかつ容易にすることができるスプリンクラー取付装置を提供する。【解決手段】スプリンクラー取付装置１０は、第１ブラケット半部２０およびほぼ平仮名の「し」の字形の第２ブラケット半部４０を備え、前記第２ブラケット半部の一方の側部は、該第２ブラケット半部が前記作用位置に位置するとき、前記第１ブラケット半部の他方の端部と交差し、さらに該他方の端部を越えて所定長さ延びて延長部となっており、この延長部の前記上板と下板には、対向する部分にそれぞれ第１開口５８および第２開口６０が形成されており、前記第２ブラケット半部が前記作用位置にあるとき、前記第１および第２開口には、この作用位置を保持するための楔部材６２が貫通して設けられるようになっている。【選択図】図８
2017006221.tif 000002
【特許請求の範囲】
【請求項１】
スプリンクラーヘッドを接続するスプリンクラーホースの端部継手を角バーに固定するスプリンクラー取付装置において、
ブラケットを備え、
前記ブラッケットは、第１ブラケット半部およびほぼ平仮名の「し」の字形の第２ブラケット半部を備え、該第２ブラケット半部の一方の側部が他方の側部より長くなっており、
前記第１ブラケット半部は、立ち上がった側板と、この側板の上縁から水平に延びる上板と、前記側板の下縁から前記上板と平行に延びる下板を備え、
前記第２ブラケット半部は、ほぼ平仮名の「し」の字形の上板と、該上板と同形状でこれに対向して設けられた下板とを備え、
前記第２ブラケット半部は、前記上板と下板がスプリンクラーホースの端部継手の外形の一部を収容する形状になっており、
前記第１ブラケット半部は、前記側板が前記角バーの後ろ側の側面に密着するようにして、前記角バーに対して配置されるようになっており、
前記第２ブラケット半部は、前記他方の側部の自由端部で、前記第１ブラケット半部の一方の端部に枢着されていて、開いた不作用位置と、閉じて、前記第１ブラケット半部とともに、前記端部継手を挟み込む作用位置との間で回動可能となっており、
前記第２ブラケット半部の一方の側部は、該第２ブラケット半部が前記作用位置に位置するとき、前記第１ブラケット半部の他方の端部と交差し、さらに該他方の端部を越えて所定長さ延びて延長部となっており、
この延長部の前記上板と下板には、対向する部分にそれぞれ第１開口および第２開口が形成されており、
前記第２ブラケット半部が前記作用位置にあるとき、前記第１および第２開口には、この作用位置を保持するための楔部材が貫通して設けられるようになっている
ことを特徴とするスプリンクラー取付装置。
【請求項２】
前記第２ブラケット半部は、前記上板と前記下板を連結する側板を有している請求項１のスプリンクラー取付装置。
【請求項３】
前記楔部材が平板で、前記開口が長穴である請求項１または２のスプリンクラー取付装置。
【請求項４】
前記楔部材は前記第１ブラケット半部の側板を前記角バーの側面に押し付ける作用も行う請求項１〜３のいずれかのスプリンクラー取付装置。
【請求項５】
前記第２ブラケット半部において、前記上板の下面と前記下板の上面との間の距離が、前記第１ブラケット半部の高さより高くなっている請求項１〜４のいずれかのスプリンクラー取付装置。
【請求項６】
前記第１ブラケット半部がＬ字形をしている請求項１〜５のいずれかのスプリンクラー取付装置。
【発明の詳細な説明】
【技術分野】
【０００１】
本発明は、スプリンクラー取付装置に関し、特に、スプリンクラーヘッドを接続するスプリンクラーホースの端部継手を角バーに固定するスプリンクラー取付装置に関する。
【背景技術】
【０００２】
消防用のスプリンクラーは、火災発生時の初期消火を図る設備として有効な手段であると広く認識されている。スプリンクラーは、水源と加圧送水装置、配管、制御弁、流水検知装置（アラーム弁）、スプリンクラーホース、スプリンクラーヘッドから構成されている。スプリンクラーホースは天井裏に配管され、その片端は送水本管から分岐された配管に接続され、もう一方の片端は天井に設置されるスプリンクラーヘッドに接続される。スプリンクラーヘッドがねじ込み固定されるスプリンクラーホース端は、固定金具により角バーと呼ばれる、例えば、肉厚０．６ｍｍ程度の断面１６ｍｍ×１６ｍｍの矩形のパイプに固定され、角バーは天井取付けフレームに固定された取付け座となるフレームに水平に固定される。
【０００３】
このようなスプリンクラーホース端を角バーに取り付けるスプリンクラー取付装置としては、例えば、特開平７−１５１２６９号公報に記載されているものが知られている。この公開公報に記載されたスプリンクラー取付装置は、スプリンクラーヘッドを接続するスプリンクラーホースの端部継手を角バーに固定するスプリンクラー取付装置において、ブラケットはボルトを備え、前記ブラケットは、向かい合って配置された、通し孔を有する第１板と、第２板とを有し、これらの板の少なくとも一端が接続され、前記ブラケットの二つの板の間にスプリンクラーホースの端部継手を配置し、前記ボルトを締め込むことにより角バーとスプリンクラーホースの端部継手が固定される構造を有している。
【０００４】
このスプリンクラー取付装置は、スプリンクラーホースの端部継手を角バーに固定する際、ボルトを使用しているため、ボルト締めに時間が掛かり、取り付け難いという問題がある。
【先行技術文献】
【特許文献】
【０００５】
【特許文献１】特開平７−１５１２６９号公報
【発明の概要】
【発明が解決しようとする課題】
【０００６】
そこで、本発明は、前記固定作業が素早くかつ容易にすることができるスプリンクラー取付装置を提供することを目的とする。
【課題を解決するための手段】
【０００７】
前記課題は、下記（１）〜（６）の構成の本発明のスプリンクラー取付装置により達成される。
（１）
スプリンクラーヘッドを接続するスプリンクラーホースの端部継手を角バーに固定するスプリンクラー取付装置において、
ブラケットを備え、
前記ブラッケットは、第１ブラケット半部およびほぼ平仮名の「し」の字形の第２ブラケット半部を備え、該第２ブラケット半部の一方の側部が他方の側部より長くなっており、
前記第１ブラケット半部は、立ち上がった側板と、この側板の上縁から水平に延びる上板と、前記側板の下縁から前記上板と平行に延びる下板を備え、
前記第２ブラケット半部は、ほぼ平仮名の「し」の字形の上板と、該上板と同形状でこれに対向して設けられた下板とを備え、
前記第２ブラケット半部は、前記上板と下板がスプリンクラーホースの端部継手の外形の一部を収容する形状になっており、
前記第１ブラケット半部は、前記側板が前記角バーの後ろ側の側面に密着するようにして、前記角バーに対して配置されるようになっており、
前記第２ブラケット半部は、前記他方の側部の自由端部で、前記第１ブラケット半部の一方の端部に枢着されていて、開いた不作用位置と、閉じて、前記第１ブラケット半部とともに、前記端部継手を挟み込む作用位置との間で回動可能となっており、
前記第２ブラケット半部の一方の側部は、該第２ブラケット半部が前記作用位置に位置するとき、前記第１ブラケット半部の他方の端部と交差し、さらに該他方の端部を越えて所定長さ延びて延長部となっており、
この延長部の前記上板と下板には、対向する部分にそれぞれ第１開口および第２開口が形成されており、
前記第２ブラケット半部が前記作用位置にあるとき、前記第１および第２開口には、この作用位置を保持するための楔部材が貫通して設けられるようになっている
ことを特徴とするスプリンクラー取付装置。
（２）
前記第２ブラケット半部は、前記上板と前記下板を連結する側板を有している前記（１）のスプリンクラー取付装置。
（３）
前記楔部材が平板で、前記開口が長穴である前記（１）または（２）のスプリンクラー取付装置。
（４）
前記楔部材は前記第１ブラケット半部の側板を前記角バーの側面に押し付ける作用も行う前記（１）〜（３）のいずれかのスプリンクラー取付装置。
（５）
前記第２ブラケット半部において、前記上板の下面と前記下板の上面との間の距離が、前記第１ブラケット半部の高さより高くなっている前記（１）〜（４）のいずれかのスプリンクラー取付装置。
（６）
前記第１ブラケット半部がＬ字形をしている前記（１）〜（５）のいずれかのスプリンクラー取付装置。
【発明の効果】
【０００８】
本発明のスプリンクラー取付装置によれば、第２ブラケット半部を作用位置に回動し、第２ブラケット半部の上板、下板の先端に設けた開口に楔部材を設置するだけで、スプリンクラーホースの端部継手を固定できるので、スプリンクラーの固定作業を素早く、かつ容易に行うことができる。
【図面の簡単な説明】
【０００９】
【図１】本発明のスプリンクラー取付装置の一実施形態を示す斜視図である。
【図２】図１に示したスプリンクラー取付装置の平面図であるである。
【図３】図１に示したスプリンクラー取付装置の底面図である。
【図４】図１に示したスプリンクラー取付装置の正面図であるである。
【図５】図１に示したスプリンクラー取付装置の背面図である。
【図６】図１に示したスプリンクラー取付装置の右側面図である。
【図７】図１に示したスプリンクラー取付装置の左側面図である。
【図８】図１に示したスプリンクラー取付装置を用いてのスプリンクラーホースの端部継手の角バーへの取付状態を示す斜視図である。
【図９】本発明のスプリンクラー取付装置の他の実施形態を示す斜視図である。
【図１０】図９に示したスプリンクラー取付装置を用いてのスプリンクラーホースの端部継手の角バーへの取付状態を示す斜視図である。
【発明を実施するための形態】
【００１０】
スプリンクラーホースの端部継手Ｓ（図８参照）は、外側が多角形で形成され、その端部にスプリンクラーヘッドを接続するための取り付け口を有している。材料としては、例えば、アルミ、鉄、鉄鋳物、その他金属、樹脂等が挙げられる。なお、スプリンクラーホースには配管継手も含まれている。
【００１１】
図１は、本発明の一実施形態によるスプリンクラー取付装置１０の斜視図である。
スプリンクラー取付装置１０は、ブラケット１２を備えている。このブラッケット１２は、ほぼＬ字形の第１ブラケット半部２０およびほぼ平仮名の「し」の字形の第２ブラケット半部４０を備えている。第１ブラケット半部２０は、直線状であってもよい。図に示したように、前記第２ブラケット半部４０の一方の側部４２が他方の側部５０より長くなっている。
【００１２】
前記第１ブラケット半部２０は、Ｌ字形の長い方の辺２２の少なくとも一部に沿い立ち上がった側板２４と、この側板２４の上縁から水平に延びるＬ字形の上板２６と、前記側板２４の下縁から前記上板２６と平行に延びるＬ字形の下板２８を備えている。前記第１ブラケット半部２０は、前記側板２４が角バーＢの後ろ側の側面に密着するようにして、該角バーＢに対して配置されるようになっている。
【００１３】
前記第２ブラケット半部４０は、ほぼ平仮名の「し」の字形の上板４４と、該上板４４と同形状でこれに対向して設けられた下板４６と、前記上板と前記下板を連結する側板４８を備えている。前記上板４４と下板４６は、前記したように、「し」の字形となっていて、スプリンクラーホースの端部継手Ｓの外形の一部を収容する形状になっている。
【００１４】
前記第２ブラケット半部４０は、前記他方の側部５０の自由端部５２で、前記第１ブラケット半部２０のＬ字形の短い方の辺３０の自由端部３２に枢軸５４で枢着されていて、開いた不作用位置と、閉じて、前記第１ブラケット半部２０とともに、前記端部継手Ｓを挟み込む作用位置（図８参照）との間で回動可能となっている。このため、前記第２ブラケット半部４０において、前記上板４４の下面と前記下板４６の上面との間の距離が、前記第１ブラケット半部２０の高さより高くなっている。
【００１５】
前記第２ブラケット半部４０の一方の側部４２は、該第２ブラケット半部が前記作用位置に位置するとき、前記第１ブラケット半部２０の長い方の辺２２と交差し、さらに該長い方の辺２２を越えて所定長さ延びて延長部５６となっている。前記第２ブラケット半部４０の側板４８は、前記第１ブラケット半部２０と交差する部分および前記延長部５６を少なくとも残して、前記上板４４と下板４６を連結している。これにより、前記延長部５６等は、前記第１ブラケット半部２０と交差できるようになっている。
【００１６】
この延長部５６の前記上板４４と下板４６には、対向する部分にそれぞれ第１開口５８および第２開口６０が形成されており、前記第２ブラケット半部４０が前記作用位置にあるとき、前記第１および第２開口５８、６０には、この作用位置を保持するための楔部材６２が貫通して設けられるようになっている。
【００１７】
前記開口５８、６０は長穴であり、前記楔部材６２が平板であることが好ましい。
前記楔部材は前記第１ブラケット半部２０の側板２４を前記角バーＢの第２ブラケット半部４０から見て外側の側面に押し付ける作用も行う。
【００１８】
次に、本スプリンクラー取付装置１０の取り付けについて説明する。
まず、第２ブラケット半部４０を開いた不作用状態で、第１ブラケット半部２０を図１に示したように角バーＢに取り付け、この状態で、スプリンクラーホースの端部継手Ｓを所定箇所に配置し、その状態で第２ブラケット半部４０を図８に示した作用位置に回動させ、最後に開口５８、６０に楔部材６２を通して、設置を終了する。
【００１９】
以上説明した例では、前記第２ブラケット半部が、前記上板と前記下板を連結する側板を有している構造のものについて説明したが、図９および図１０に示したように、当該側板がない構造であってもよい。
また、前記の例では、第２ブラケット半部４０が作用位置にあるとき、該第２ブラケット半部４０の上板４４、４６が、第１ブラケット半部２０の上板２６、２８の上下にくる構造のものについて説明したが、上板２６、２８が上板４４、４６の上下にくる構造であってもよい。
以上説明したように、本発明のスプリンクラー取付装置によれば、素早く、かつ容易にスプリンクラーホースの端部継手を天井裏の角バーに固定することができる。
【符号の説明】
【００２０】
１０  スプリンクラー取付装置
１２  ブラケット
２０  第１ブラケット半部
２２  長い方の辺
２４  側板
２６  上板
２８  下板
３０  短い方の辺
３２  自由端部
４０  第２ブラケット半部
４２  第２ブラケット半部の一方の側部
４４  上板
４６  下板
４８  側板
５０  第２ブラケット半部の他方の側部
５２  自由端部
５４  枢軸
５６  延長部
５８  第１開口
６０  第２開口
６２  楔部材
Ｂ  角バー
Ｓ  スプリンクラーホースの端部継手
【図１】
2017006221.tif 000003
【図２】
2017006221.tif 000004
【図３】
2017006221.tif 000005
【図４】
2017006221.tif 000006
【図５】
2017006221.tif 000007
【図６】
2017006221.tif 000008
【図７】
2017006221.tif 000009
【図８】
2017006221.tif 000010
【図９】
2017006221.tif 000011
【図１０】
2017006221.tif 000012